(57)【要約】【課題】携帯電話上に表示された画像化（ラスタ）された地図データ上で、図形どうしが重なった場合にその中からある１つの任意の図形をズームアウトすることなく特定し、図形に関連する情報を取得することができる方法を提供する。【解決手段】携帯電話１０６が、処理装置１０１に公衆回線網１０４を介して通信自在に接続され、携帯電話１０６によって、携帯電話１０６の画面上に表示する重なり合う図形の一つを選択させ、その関連情報を取得する図形の選択方法および関連情報取得方法であって、携帯電話１０６が、処理装置１０１から図形ＩＤに関連付けられた図形名称を受信するステップと、受信した図形名称を選択画面に表示するステップと、ユーザによって選択された図形名称に関連付けられた図形ＩＤを処理装置に送信するステップ等を実行する。【選択図】図１
2008197502.tif 000002
【特許請求の範囲】
【請求項１】
携帯端末が、地図ＤＢと属性ＤＢを備えた処理装置に公衆回線網を介して通信自在に接続され、前記携帯端末によって、前記携帯端末の画面上に表示する重なり合う図形の一つを選択させ、その関連情報を取得する携帯端末での図形の選択方法および関連情報取得方法であって、
前記携帯端末が、画面に、画像地図を表示させるステップと、
前記携帯端末のユーザによるキー操作によって指定された地図上の位置を検知するステップと、
指定された地図上の位置を座標位置に変換するステップと、
変換した座標位置を前記処理装置側に送信するステップとを実行し、
前記処理装置が、前記携帯端末から座標位置を受信するステップと、
受信した座標位置を検索キーにして前記地図ＤＢから図形レコードを検索するステップと、
検索された前記図形レコードが複数件であるかどうかを判定するステップと、
検索された前記図形レコードが複数件である場合に、前記図形レコードの中に含まれる図形ＩＤを前記携帯端末に送信するステップとを実行し、
前記携帯端末が、前記処理装置から前記図形ＩＤを受信するステップと、
受信した前記図形ＩＤが複数件であるかどうかを判定するステップと、
受信した前記図形ＩＤが複数件である場合に、その前記図形ＩＤを前記処理装置に返送するステップとを実行し、
前記処理装置が、前記携帯端末から前記図形ＩＤを受信するステップと、
受信した前記図形ＩＤを検索キーにして前記地図ＤＢから前記図形レコードを検索するステップと、
検索された前記図形レコードに含まれる関連属性ＩＤを検索キーにして前記属性ＤＢから属性レコードを検索するステップと、
検索された前記属性レコードに含まれる図形名称を抽出するステップと、
抽出した図形名称を関連する前記図形ＩＤに関連付けて前記携帯端末に送信するステップとを実行し、
前記携帯端末が、前記処理装置から前記図形ＩＤに関連付けられた図形名称を受信するステップと、
受信した図形名称を選択画面に表示するステップと、
ユーザによって選択された図形名称に関連付けられた前記図形ＩＤを前記処理装置に送信するステップとを実行し、
前記処理装置が、前記携帯端末から前記図形ＩＤを受信するステップと、
受信した前記図形ＩＤを検索キーにして前記地図ＤＢから前記図形レコードを検索するステップと、
検索された前記図形レコードに含まれる関連属性ＩＤを検索キーにして前記属性ＤＢから前記属性レコードを検索するステップと、
検索された前記属性レコードを前記携帯端末に送信するステップとを実行し、
前記携帯端末が、前記処理装置から前記属性レコードを受信するステップと、
受信した前記属性レコードを選択された前記図形名称の関連情報として選択画面に表示するステップとを実行することを特徴とする携帯端末での図形の選択方法および関連情報取得方法。
【発明の詳細な説明】
【技術分野】
【０００１】
本発明は、携帯電話に表示される地図上から必要な図形情報および関連情報を取得するための携帯端末での図形の選択方法および関連情報取得方法に関するものである。
【背景技術】
【０００２】
近年の携帯電話の急速な普及および携帯電話の高機能化に伴い、携帯電話を利用するモバイルビジネスが急速に普及しつつある。また最近、コンシューマを中心に携帯電話上で地図情報を利用しようとする動きが活発になってきている。
携帯電話で画像（ラスタ）地図を表示する技術として、例えば下記特許文献１に記載のものが知られている。
【０００３】
下記特許文献１に記載のものは、通信網のネットワーク負荷を軽減するため背景地図とランドマーク情報を別々のサーバから取得するものである。
【特許文献１】特開２００３−１６２２１７号公報
【発明の開示】
【発明が解決しようとする課題】
【０００４】
本発明以前は水道、下水道、電気、ガス等の設備情報等を参照しようとした場合、特に交差点などの付近で各種インフラ設備が輻輳し、同じ位置に埋設している場合も多々あり、それを携帯電話のような小さい画面から選択するのが非常に困難であり、非常に使いづらいという問題があった。
【０００５】
更に、ＰＣ等に比べ低解像度の携帯電話の表示画面において地図上の図形が重なってしまった場合、従来ではズームアウトなど地図表示操作をし直す必要があったため、地図を再検索したり、または図形が完全に重なってしまった場合には選択が不可能となる等の問題があった。
【０００６】
以上の現状に鑑み、本発明は、携帯電話上に表示された画像化（ラスタ）された地図データ上で、図形どうしが重なった場合にその中からある１つの任意の図形をズームアウトすることなく特定し、図形に関連する情報を取得することができる方法を提供することを目的とする。
【課題を解決するための手段】
【０００７】
上記の課題を解決すべく、本発明は以下の構成を提供する。
請求項１に係る発明は、携帯端末が、地図ＤＢと属性ＤＢを備えた処理装置に公衆回線網を介して通信自在に接続され、前記携帯端末によって、前記携帯端末の画面上に表示する重なり合う図形の一つを選択させ、その関連情報を取得する携帯端末での図形の選択方法および関連情報取得方法であって、
前記携帯端末が、画面に、画像地図を表示させるステップと、
前記携帯端末のユーザによるキー操作によって指定された地図上の位置を検知するステップと、
指定された地図上の位置を座標位置に変換するステップと、
変換した座標位置を前記処理装置側に送信するステップとを実行し、
前記処理装置が、前記携帯端末から座標位置を受信するステップと、
受信した座標位置を検索キーにして前記地図ＤＢから図形レコードを検索するステップと、
検索された前記図形レコードが複数件であるかどうかを判定するステップと、
検索された前記図形レコードが複数件である場合に、前記図形レコードの中に含まれる図形ＩＤを前記携帯端末に送信するステップとを実行し、
前記携帯端末が、前記処理装置から前記図形ＩＤを受信するステップと、
受信した前記図形ＩＤが複数件であるかどうかを判定するステップと、
受信した前記図形ＩＤが複数件である場合に、その前記図形ＩＤを前記処理装置に返送するステップとを実行し、
前記処理装置が、前記携帯端末から前記図形ＩＤを受信するステップと、
受信した前記図形ＩＤを検索キーにして前記地図ＤＢから前記図形レコードを検索するステップと、
検索された前記図形レコードに含まれる関連属性ＩＤを検索キーにして前記属性ＤＢから属性レコードを検索するステップと、
検索された前記属性レコードに含まれる図形名称を抽出するステップと、
抽出した図形名称を関連する前記図形ＩＤに関連付けて前記携帯端末に送信するステップとを実行し、
前記携帯端末が、前記処理装置から前記図形ＩＤに関連付けられた図形名称を受信するステップと、
受信した図形名称を選択画面に表示するステップと、
ユーザによって選択された図形名称に関連付けられた前記図形ＩＤを前記処理装置に送信するステップとを実行し、
前記処理装置が、前記携帯端末から前記図形ＩＤを受信するステップと、
受信した前記図形ＩＤを検索キーにして前記地図ＤＢから前記図形レコードを検索するステップと、
検索された前記図形レコードに含まれる関連属性ＩＤを検索キーにして前記属性ＤＢから前記属性レコードを検索するステップと、
検索された前記属性レコードを前記携帯端末に送信するステップとを実行し、
前記携帯端末が、前記処理装置から前記属性レコードを受信するステップと、
受信した前記属性レコードを選択された前記図形名称の関連情報として選択画面に表示するステップとを実行することを特徴とする携帯端末での図形の選択方法および関連情報取得方法を提供するものである。
【発明の効果】
【０００８】
本発明によれば、携帯電話上に表示された画像化（ラスタ）された地図データ上で、図形どうしが重なった場合にその中からある１つの任意の図形をズームアウトすることなく特定し、図形に関連する情報を取得することを可能にした方法を提供できる。
この方法により図形の属性参照をプログラム的に実現できる。またこの方法の提供により地図検索回数を軽減できるなどの効果によりシステムのレスポンスが向上する。
【発明を実施するための最良の形態】
【０００９】
以下、実施例を示した図面を参照しつつ本発明の実施の形態を説明する。
図１は、本発明の携帯端末での図形の選択方法および関連情報取得方法の実施の一形態であるシステムの概略構成を示すブロック図である。本システムは、図に示すように、各種処理を行う処理装置１０１と、本システムでの管理対象となる地図ＤＢ（データベース）１０２と、属性ＤＢ１０３と、公衆回線網１０４と、携帯電話の基地局１０５と、携帯端末である携帯電話１０６と、携帯電話１０６についているキーボード装置１０７とを備えている。
【００１０】
処理装置１０１は、属性データ検索手段１１１と、地図データ検索手段１１２と、データ送受信手段１１３と、レコード判定手段１１４とを備えている。
また携帯電話１０６は、地図表示手段１６１と、入力検知手段１６２と、座標変換手段１６３と、データ送受信手段１６４と、データ判定手段１６５と、選択図形表示手段１６６とを備えている。
【００１１】
図２は、地図ＤＢ１０２のテーブルの内容例である。地図ＤＢ１０２は図形レコード２０１を格納し、図形レコード２０１は、図形ＩＤ２０２を主キーとして、他に図形種別２０３、レイヤ番号２０４、図形座標情報２０５、関連属性ＩＤ２０６が設定されている。そして、関連属性ＩＤ２０６が、図３に示す属性ＤＢ１０３に収納される属性レコード３０１の検索キーとして利用される。
【００１２】
図３は、地図ＤＢ１０２に関連する属性ＤＢ１０３のテーブルの内容例である。属性ＤＢ１０３は関連情報である属性レコード３０１を格納し、属性レコード３０１は、属性ＩＤ３０２を主キーとして、他に属性情報（１）３０３、属性情報（２）３０４…等が複数設定されている。
【００１３】
図４は、本発明の携帯電話での図形の選択方法および関連情報取得方法を示す全体概略フローチャートである。この処理は、携帯電話１０６上に、地図表示手段１６１によって、画像（ラスタ）地図が表示されている状態において、携帯電話１０６のキーボード装置１０７のキー操作により任意の位置を指定することを契機に実行される。
【００１４】
キーボード装置１０７のキー操作により任意の位置が指定されると、携帯電話１０６の入力検知手段１６２により、指定された携帯電話１０６のデバイス位置が取得される（ステップ４０１）。次に、座標変換手段１６３によって、取得されたデバイス位置が、画像地図表示領域のどの部分に該当するか示す座標変換を行い、さらに地図上で扱われているベクトル位置上の座標位置に座標変換を行なう（ステップ４０２）。そして、変換した座標位置を送信データにセットして、データ送受信手段１６４を介して処理装置１０１側に送信する（ステップ４０３）。
【００１５】
処理装置１０１は、データ送受信手段１１３によって、携帯電話１０６から基地局１０５および公衆回線網１０４を介して送信データを受信し、受信データの中から座標位置を取得する（ステップ４０４）。次に、地図データ検索手段１１２によって、地図ＤＢ１０２に対して、座標位置を検索キーにして、その座標位置と同じ位置情報を持つ図形座標情報２０５を含む図形レコード２０１を検索する（ステップ４０５）。
【００１６】
次に、レコード判定手段１１４によって、検索結果としての図形レコード２０１が１件以下か否か判定し（ステップ４０６）、図形レコード２０１が０件の場合は（ステップ４０７）、検索結果が０件である旨の送信データを作成し、その送信データをデータ送受信手段１１３によって携帯電話１０６に返却する（ステップ４０８）。
【００１７】
図形レコード２０１が１件の場合は、取得した１件の図形レコード２０１の図形ＩＤ２０２をセットして送信データを作成し、携帯電話１０６に返却する（ステップ４０９）。
【００１８】
また取得した図形レコード２０１が２件以上の場合は、取得した２件以上の図形レコード２０１の図形ＩＤ２０２をセットして送信データを作成し、携帯電話１０６に返却する（ステップ４１０）。
最後に後述する判定結果に応じた処理を実行する（ステップ４１１）。
【００１９】
図５は、図４のフローチャート内の１ステップである判定結果に応じた処理４１１の詳細を説明するフローチャートである。
まず携帯電話１０６は、データ送受信手段１６４によって、処理装置１０１から送信された送信データを取得する（ステップ５０１）。次に、データ判定手段１６５によって、取得したデータから検索レコードが何件であったかを判定し（ステップ５０２）、検索レコードが０件の場合（ステップ５０３）は図形レコード２０１が検索されなかった事を示すメッセージを携帯画面に出力し、終了する（ステップ５０４）。
【００２０】
検索レコードが１件の場合は取得した図形ＩＤ２０２を処理装置１０１側に送信し（ステップ５０６）、処理装置１０１側で後述する関連情報取得処理（ステップ５０７）が行なわれ、それによって取得された関連情報が携帯電話１０６に送信されると、携帯電話１０６は、その関連情報を受信して携帯画面に出力する（ステップ５０８）。
【００２１】
また検索レコードが複数件以上の場合（ステップ５０５）は処理装置１０１から送信された複数の図形ＩＤ２０２をデータ送受信手段１６４によって処理装置１０１に返送し（ステップ５０９）、処理装置１０１は、データ送受信手段１１３によって複数の図形ＩＤ２０２を受信すると、地図データ検索手段１１２によって、複数の図形ＩＤ２０２をキーとして地図ＤＢ１０２の複数の図形レコード２０１を検索し（ステップ５１０）、属性データ検索手段１１１は、検索された複数の図形レコード２０１の関連属性ＩＤ２０６をキーとして属性ＤＢ１０３の属性レコード３０１を検索し、属性レコード３０１の中から図形名称に相当する情報が含まれる属性情報（１）３０３を取得する（ステップ５１１）。取得された属性情報（１）３０３は、関連する図形ＩＤ２０２に関連付けられ、送信データとして、データ送受信手段１１３によって携帯電話１０６に送信される（ステップ５１２）。
【００２２】
携帯電話１０６は、データ送受信手段１６４によって処理装置１０１から送信データを受信し、送信データから複数の図形名称を取得すると、選択図形表示手段１６６によって、選択画面上に複数の図形名称を表示する（ステップ５１３）。選択画面は図８に示すような画面例となる。図８の項目欄８０１および項目欄８０２にユーザに選択をさせるための図形名称が夫々表示される。
【００２３】
選択画面上でユーザによって任意の図形名称が選択されると、データ送受信手段１６４によって、その図形名称に関連付けられた図形ＩＤ２０２がセットされた送信データが作成され、処理装置１０１に送信される（ステップ５１４）。
次に、処理装置１０１に於いて、後述する関連情報取得処理が行なわれて関連情報が取得され（ステップ５１５）、携帯電話１０６は、データ送受信手段１６４によって、処理装置１０１から関連情報を受信すると、関連情報を携帯画面に出力する（ステップ５１６）。
【００２４】
図６は図５のフローチャートの１ステップである関連情報取得処理５０７，５１５の詳細について説明している。最初に、受信した図形ＩＤ２０２をキーにして、地図データ検索手段１１２によって、地図ＤＢ１０２の中から対象の図形レコード２０１を検索する（ステップ６０１）。次に、検索された図形レコード２０１の中の関連属性ＩＤ２０６をキーにして、属性データ検索手段１１１によって、属性ＤＢ１０３を検索し（ステップ６０２）、属性レコード３０１（関連情報）を取得する（ステップ６０３）。
【００２５】
図７は図形が複数選択される場面を示した図である。図に於いて、重なっている部分は、例えば、家屋７０４、および家屋７０５である。家屋７０４と家屋７０５に対して位置７１０を選択した場合に、図４に於けるステップ４０１から４０５の処理によって、検索結果として図２に示す地図ＤＢ１０２上の図形ＩＤ２０２の１と２がヒットすると、図５に示すステップ５１３の処理で図８に示す選択画面に関連する図形名称を表示する。
選択画面でいずれかの図形名称が選択されると、図５に示すステップ５１６の処理によって、選択された図形名称に関連する関連情報が表示される。
【図面の簡単な説明】
【００２６】
【図１】本発明の実施の一形態であるシステムの概略構成を示すブロック図である。
【図２】本発明の地図ＤＢのテーブル内容の例を示すデータ構造図である。
【図３】本発明の属性ＤＢのテーブル内容の例を示すデータ構造図である。
【図４】本発明の携帯端末での図形の選択方法および関連情報取得方法の全体概略フローチャートである。
【図５】本発明の判定結果に応じた処理のフローチャートである。
【図６】本発明の関連情報取得処理のフローチャートである。
【図７】本発明の複数の図形が重なって表示される地図表示例である。
【図８】本発明の複数の図形が重なって表示された時のユーザ選択画面例である。
【符号の説明】
【００２７】
１０１  処理装置
１０２  地図ＤＢ
１０３  属性ＤＢ
１０４  公衆回線網
２０１  図形レコード
２０２  図形ＩＤ
２０６  関連属性ＩＤ
３０１  属性レコード
【図１】
2008197502.tif 000003
【図２】
2008197502.tif 000004
【図３】
2008197502.tif 000005
【図４】
2008197502.tif 000006
【図５】
2008197502.tif 000007
【図６】
2008197502.tif 000008
【図７】
2008197502.tif 000009
【図８】
2008197502.tif 000010